(57)【要約】【課題】パーソナルコンピューターシステムによってウェブを直接に展開することができ、クリックインストラクションによって記録ファイルをダウンロードすることができ、資料伝送量を低減することができる。【解決手段】記録ブラウジングウェブを生成して、特定なサイトとリンクして、マップ資料をダウンロードして前記記録ブラウジングウェブに嵌め込むステップＡと、移動経路をディスプレイして前記マップ資料にオーバーラップし、前記経路ファイルは前記移動経路が進行しているときに地理位置が変動している情報を記録するステップＢと、各記録ファイルのクリックアイコンをディスプレイし、前記クリックアイコンが個別なセーブアドレスとハイパーリンクするステップＣと、各記録ファイルに個別なリモートセーブアドレスを持たせるステップＤと、記録共有ウェブファイルを生成するステップＥと、を含む。【選択図】図９
2009146375.tif 000002
【特許請求の範囲】
【請求項１】
コンピューターシステムに適用可能であり、
記録ブラウジングウェブを生成して、特定なサイトとリンクして、マップ資料をダウンロードして前記記録ブラウジングウェブに嵌め込むステップＡと、
前記記録ブラウジングウェブが経路ファイルの時点および地理位置の関係によって、移動経路をディスプレイして前記マップ資料にオーバーラップし、前記経路ファイルは前記移動経路が進行しているときに地理位置が変動している情報を記録するステップＢと、
少なくとも一つの記録ファイルと前記経路ファイルの時間情報とを比較することにより、各記録ファイルがそれぞれ対応している地理位置を取り出し、これにより、各記録ファイルの対応する地理位置によってクリックアイコンをディスプレイし、前記クリックアイコンが個別なセーブアドレスとハイパーリンクするように、前記記録ブラウジングウェブを計画するステップＣと、
前記少なくとも一つの記録ファイルをリモートデータベースに出力してセーブすることにより、各記録ファイルに個別なリモートセーブアドレスを持たせるステップＤと、
個別なモートセーブアドレスによって、各記録ファイルのクリックアイコンのハイパーリンクアドレスを取り替えることにより、記録共有ウェブファイルを生成するステップＥと、を含むことを特徴とする、
記録共有ウェブファイルの生成方法。
【請求項２】
上記のステップＥにおいては、更に、
前記記録ブラウジングウェブをコピーするステップＦと、
コピーされた前記記録ブラウジングウェブの内容を分析して、各記録ファイルのクリックアイコンのハイパーリンクアドレスを見出すステップＧと、
各記録ファイルの個別なモートセーブアドレスで個別なクリックアイコンのハイパーリンクアドレスをオーバーレイすることにより、記録共有ウェブファイルを生成するステップＨと、を含むことを特徴とする、請求項１に記載の記録共有ウェブファイルの生成方法。
【請求項３】
上記のステップＧにおいては、特定なキーワードを利用して各記録ファイルのクリックアイコンのハイパーリンクアドレスを見出すことを特徴とする、請求項２に記載の記録共有ウェブファイルの生成方法。
【請求項４】
更に、前記経路ファイルを分析することにより、移動経路が進行しているときの時間と地理位置の関係を求めるステップＩを含むことを特徴とする、請求項１に記載の記録共有ウェブファイルの生成方法。
【請求項５】
更に、前記少なくとも一つの記録ファイルを分析することにより、各記録ファイルの記録した時間情報を求めるステップＪを含むことを特徴とする、請求項１に記載の記録共有ウェブファイルの生成方法。
【請求項６】
前記経路ファイルはＧＰＳ情報レコーダーによって生成されたことを特徴とする、請求項１に記載の記録共有ウェブファイルの生成方法。
【請求項７】
更に、前記記録共有ウェブファイルを少なくとも一人の共有者に伝送するステップＫを含むことを特徴とする、請求項１に記載の記録共有ウェブファイルの生成方法。
【請求項８】
前記少なくとも一つの記録ファイルのファイルクラスは、デジタル映像ファイル、又はデジタル音声ファイルに属することを特徴とする、請求項１に記載の記録共有ウェブファイルの生成方法。
【請求項９】
コンピューターシステムに適用可能であり、
ある経路に沿って進行しているときに時間の経過に伴って地理位置の変化情報を記録する経路ファイルを分析して、前記経路ファイルに記録された時間と地理位置の関係を求める第一資料分析モジュールと、
少なくとも一つの記録ファイルに記録した時間情報を分析する第二資料分析モジュールと、
前記第一資料分析モジュールと前記第二資料分析モジュールとに結合されており、前記経路ファイル及び前記少なくとも一つの記録ファイルの時間情報によって、各記録ファイルが対応している地理位置を比較する資料比較モジュールと、
前記第一資料分析モジュールと前記資料比較モジュールとに結合されており、前記移動経路をディスプレイする記録ブラウジングウェブを生成して、各記録ファイルの対応している地理位置によって、各記録ファイルのクリックアイコンをディスプレイし、各クリックアイコンが個別なセーブアドレスとハイパーリンクするビューインターフェース生成モジュールと、
前記ビューインターフェース生成モジュールに結合されており、各記録ファイルの個別なリモートセーブアドレスを取り出して、当該記録ブラウジングウェブをコピーして、個別なリモートセーブアドレスで各記録ファイルのクリックアイコンのハイパーリンクアドレスを取替えることにより、記録共有ウェブファイルを生成する共有ウェブ生成モジュールと、を含むことを特徴とする、
記録共有ウェブファイル生成用システム。
【請求項１０】
前記ビューインターフェース生成モジュールは、前記記録ブラウジングウェブが特定なサイトとリンクするように制御し、マップ資料をダウンロードして前記記録ブラウジングウェブに嵌め込み、これにより、移動経路および少なくとも一つの記録ファイルのクリックアイコンをマップ資料にオーバーラップすることを特徴とする、請求項９に記載の記録共有ウェブファイル生成用システム。
【請求項１１】
更に、前記第一資料分析モジュールに結合されており、第一セーブアドレスから前記経路ファイルをアクセスする第一アクセスモジュールと、
前記第二資料分析モジュールに結合されており、第二セーブアドレスから前記少なくとも一つの記録ファイルをアクセスする第二アクセスモジュールと、を含むことを特徴とする、請求項９に記載の記録共有ウェブファイル生成用システム。
【請求項１２】
前記第一アクセスモジュールと前記第二アクセスモジュールとは、コンピューターシステムのあるデータベースと結合していることを特徴とする、請求項１１に記載の記録共有ウェブファイル生成用システム。
【請求項１３】
更に、前記第一アクセスモジュール、前記第二アクセスモジュール及び前記共有ウェブ生成モジュールと結合しているエディタを含み、前記エディタは、外部の資料を受け入れることにより、前記第一セーブアドレスと前記第二セーブアドレスとを求めることを特徴とする、請求項１１に記載の記録共有ウェブファイル生成用システム。
【請求項１４】
前記経路ファイルはＧＰＳ情報レコーダーによって生成されたことを特徴とする、請求項９に記載の記録共有ウェブファイル生成用システム。
【請求項１５】
前記少なくとも一つの記録ファイルのファイルクラスは、デジタル映像ファイル、又はデジタル音声ファイルに属することを特徴とする、請求項９に記載の記録共有ウェブファイル生成用システム。
【発明の詳細な説明】
【技術分野】
【０００１】
本発明は、コンピューターシステムに適用可能な記録共有ウェブファイルの生成方法とそのシステムに関する。
【背景技術】
【０００２】
最近、情報産業、通信産業および電子産業の発展に伴って、デジタルカメラによって日常生活を記録することが普及になっている。電子メールによって個人な写真を共有すると共に、ネットアルバムに映像ファイルをアップロードして他人と共有することも普及になっている。
【０００３】
映像データベースは撮影時点またはユーザーで決めたテーマによって分類して管理することが多く、アルバムプレイヤーはファイルの排列順序で順次にプレイする。このような資料の管理方式は、単純であるが、単調すぎる感じもする。米国特許ＵＳ２００７／０２３３３６８号に記載の映像データベース技術は、映像データベースに地理位置を結合する。ユーザーは、経緯度のパラメータまたは特殊なランドマークが標示された映像ファイル（Ｇｅｏ−ｔａｇｇｅｄ  Ｐｈｏｔｏ）を特定なサイトにアップロードすると、サイトサーバーがファイルに付けられた地理位置の情報によって映像を分類してディスプレイする。
【０００４】
上記の技術は、関連の地理位置によって映像ファイルを集結するので、異なる時点で撮影された多数の映像が同じ処に分布するときに、ユーザーは日付けによって特定な映像グループをろ過してブラウジングすることが必要であるので、極めて不便であった。そしてネットアルバムを利用して個人的な映像資料を編集しディスプレイすることは、他人にコピーして散布される可能性があり、資料の安全は充分に確保できず、且つネットアルバムサイトの使用は、複雑なレジストプロセスを通過しないと、サイトにアップロードして映像をブラウジングすることができなく、だから、使用は極めて不便であった。
【発明の開示】
【発明が解決しようとする課題】
【０００５】
本発明の主な目的は、記録ファイルをリモートデータベースに伝送して、記録ブラウジングウェブにおける記録ファイルのクリックアイコンのハイパーリンクアドレスをリモートセーブアドレスに替わらせることにより、記録共有ウェブファイルを生成し、そうすると、パーソナルコンピューターシステムによってウェブを直接に展開することができ、クリックインストラクションによって記録ファイルをダウンロードすることができ、資料伝送量を低減することができ、共有者が記録ファイルを便利にブラウジングすることができ、個人的な資料の安全を充分に確保することができる。
【課題を解決するための手段】
【０００６】
上記目的を達成するためになされた本願の発明は、コンピューターシステムに適用可能であり、
記録ブラウジングウェブを生成して、特定なサイトとリンクして、マップ資料をダウンロードして前記記録ブラウジングウェブに嵌め込むステップＡと、
前記記録ブラウジングウェブが経路ファイルの時点および地理位置の関係によって、移動経路をディスプレイして前記マップ資料にオーバーラップし、前記経路ファイルは前記移動経路が進行しているときに地理位置が変動している情報を記録するステップＢと、
少なくとも一つの記録ファイルと前記経路ファイルの時間情報とを比較することにより、各記録ファイルがそれぞれ対応している地理位置を取り出し、これにより、各記録ファイルの対応する地理位置によってクリックアイコンをディスプレイし、前記クリックアイコンが個別なセーブアドレスとハイパーリンクするように、前記記録ブラウジングウェブを計画するステップＣと、
前記少なくとも一つの記録ファイルをリモートデータベースに出力してセーブすることにより、各記録ファイルに個別なリモートセーブアドレスを持たせるステップＤと、
個別なモートセーブアドレスによって、各記録ファイルのクリックアイコンのハイパーリンクアドレスを取り替えることにより、記録共有ウェブファイルを生成するステップＥと、を含むことを特徴とする記録共有ウェブファイルの生成方法であることを要旨とする。
【０００７】
本願の発明では、上記のステップＥにおいては、更に、
前記記録ブラウジングウェブをコピーするステップＦと、
コピーされた前記記録ブラウジングウェブの内容を分析して、各記録ファイルのクリックアイコンのハイパーリンクアドレスを見出すステップＧと、
各記録ファイルの個別なモートセーブアドレスで個別なクリックアイコンのハイパーリンクアドレスをオーバーレイすることにより、記録共有ウェブファイルを生成するステップＨと、を含むことを特徴とする請求項１に記載の記録共有ウェブファイルの生成方法であることを要旨とする。
【０００８】
本願の発明では、上記のステップＧにおいては、特定なキーワードを利用して各記録ファイルのクリックアイコンのハイパーリンクアドレスを見出すことを特徴とする請求項２に記載の記録共有ウェブファイルの生成方法であることを要旨とする。
【０００９】
本願の発明では、更に、前記経路ファイルを分析することにより、移動経路が進行しているときの時間と地理位置の関係を求めるステップＩを含むことを特徴とする請求項１に記載の記録共有ウェブファイルの生成方法であることを要旨とする。
【００１０】
本願の発明では、更に、前記少なくとも一つの記録ファイルを分析することにより、各記録ファイルの記録した時間情報を求めるステップＪを含むことを特徴とする請求項１に記載の記録共有ウェブファイルの生成方法であることを要旨とする。
【００１１】
本願の発明では、前記経路ファイルはＧＰＳ情報レコーダーによって生成されたことを特徴とする請求項１に記載の記録共有ウェブファイルの生成方法であることを要旨とする。
【００１２】
本願の発明では、更に、前記記録共有ウェブファイルを少なくとも一人の共有者に伝送するステップＫを含むことを特徴とする請求項１に記載の記録共有ウェブファイルの生成方法であることを要旨とする。
【００１３】
本願の発明では、前記少なくとも一つの記録ファイルのファイルクラスは、デジタル映像ファイル、又はデジタル音声ファイルに属することを特徴とする請求項１に記載の記録共有ウェブファイルの生成方法であることを要旨とする。
【００１４】
本願の発明では、コンピューターシステムに適用可能であり、
ある経路に沿って進行しているときに時間の経過に伴って地理位置の変化情報を記録する経路ファイルを分析して、前記経路ファイルに記録された時間と地理位置の関係を求める第一資料分析モジュールと、
少なくとも一つの記録ファイルに記録した時間情報を分析する第二資料分析モジュールと、
前記第一資料分析モジュールと前記第二資料分析モジュールとに結合されており、前記経路ファイル及び前記少なくとも一つの記録ファイルの時間情報によって、各記録ファイルが対応している地理位置を比較する資料比較モジュールと、
前記第一資料分析モジュールと前記資料比較モジュールとに結合されており、前記移動経路をディスプレイする記録ブラウジングウェブを生成して、各記録ファイルの対応している地理位置によって、各記録ファイルのクリックアイコンをディスプレイし、各クリックアイコンが個別なセーブアドレスとハイパーリンクするビューインターフェース生成モジュールと、
前記ビューインターフェース生成モジュールに結合されており、各記録ファイルの個別なリモートセーブアドレスを取り出して、当該記録ブラウジングウェブをコピーして、個別なリモートセーブアドレスで各記録ファイルのクリックアイコンのハイパーリンクアドレスを取替えることにより、記録共有ウェブファイルを生成する共有ウェブ生成モジュールと、を含むことを特徴とする記録共有ウェブファイル生成用システムであることを要旨とする。
【００１５】
本願の発明では、前記ビューインターフェース生成モジュールは、前記記録ブラウジングウェブが特定なサイトとリンクするように制御し、マップ資料をダウンロードして前記記録ブラウジングウェブに嵌め込み、これにより、移動経路および少なくとも一つの記録ファイルのクリックアイコンをマップ資料にオーバーラップすることを特徴とする請求項９に記載の記録共有ウェブファイル生成用システムであることを要旨とする。
【００１６】
本願の発明では、更に、前記第一資料分析モジュールに結合されており、第一セーブアドレスから前記経路ファイルをアクセスする第一アクセスモジュールと、
前記第二資料分析モジュールに結合されており、第二セーブアドレスから前記少なくとも一つの記録ファイルをアクセスする第二アクセスモジュールと、を含むことを特徴とする請求項９に記載の記録共有ウェブファイル生成用システムであることを要旨とする。
【００１７】
本願の発明では、前記第一アクセスモジュールと前記第二アクセスモジュールとは、コンピューターシステムのあるデータベースと結合していることを特徴とする請求項１１に記載の記録共有ウェブファイル生成用システムであることを要旨とする。
【００１８】
本願の発明では、更に、前記第一アクセスモジュール、前記第二アクセスモジュール及び前記共有ウェブ生成モジュールと結合しているエディタを含み、前記エディタは、外部の資料を受け入れることにより、前記第一セーブアドレスと前記第二セーブアドレスとを求めることを特徴とする請求項１１に記載の記録共有ウェブファイル生成用システムであることを要旨とする。
【００１９】
本願の発明では、前記経路ファイルはＧＰＳ情報レコーダーによって生成されたことを特徴とする請求項９に記載の記録共有ウェブファイル生成用システムであることを要旨とする。
【００２０】
本願の発明では、前記少なくとも一つの記録ファイルのファイルクラスは、デジタル映像ファイル、又はデジタル音声ファイルに属することを特徴とする請求項９に記載の記録共有ウェブファイル生成用システムであることを要旨とする。
【発明の効果】
【００２１】
本発明の記録共有ウェブファイルの生成方法とそのシステムによれば、パーソナルコンピューターシステムによってウェブを直接に展開することができ、クリックインストラクションによって記録ファイルをダウンロードすることができ、資料伝送量を低減することができ、共有者が記録ファイルを便利にブラウジングすることができ、個人的な資料の安全を充分に確保することができるという効果を有する。
【発明を実施するための最良の形態】
【００２２】
以下、添付図面を参照して本発明の好適な実施の形態を詳細に説明する。
【００２３】
本発明に係る記録共有ウェブファイルの生成方法とそのシステムは、コンピューターシステムによってアプリケーションプログラムを実行して、経路ファイルと記録ファイルとの時間情報を比較して、記録ファイルの記録地点を求めて、記録ブラウジングウェブを生成して、ファイルの記録地点によって移動経路に沿って分布するクリックアイコンを生成して、クリックリンクを受けたと特定な記録ファイルがオープンされる。次に、記録ファイルをアップロードしたリモートデータベースによって、記録ブラウジングウェブにおける記録ファイルのクリックアイコンのハイパーリンクアドレスをリモートセーブアドレスに替わらせることにより、記録共有ウェブファイルを生成して、他人に伝送すて共有することができる。
【００２４】
ＧＰＳ（Ｇｌｏｂａｌ  ｐｏｓｉｔｉｏｎｉｎｇ  ｓｙｓｔｅｍ）は、衛星の信号を接収して、衛星の軌道資料を分析して衛星の所在位置を求めて、三角位置決め法によってレシーバーの経緯度座標、方向及び速度などの地理位置資料を計算するものである。ＧＰＳ情報レコーダー（又はＧＰＳ  ｄａｔａｌｏｇｇｅｒと称し）は、ＧＰＳ技術を使用する新製品であり、経緯度などの地理位置データを持続に測定可能であり、且つ特定なファイルフォーマットによってこれらの時間の経過に伴って変動している地理位置情報を記録する。モバイルＧＰＳ情報レコーダーが特定な経路に沿って移動しているときには、レコーダーが経路ファイルを生成し、各時点での地理位置を持続に記録する。ユーザーは、レコーダーに抱き合わせるアプリケーションソフトウエアによって、経路ファイルを読み取って資料として使用可能である。また、ＧＰＳ情報レコーダーは周知の技術であるので、説明を省略した。
【００２５】
ディジタル映像ファイルは、二つの部分に分けることができ、一つが映像データをセーブする資料セクションであり、もう一つが映像の関連情報を記録するタイトルセクションである。ディジタルカメラは、映像信号を取って映像ファイルに生成するときに、特定なフォーマット（例えばＪＰＥＧ映像ファイル圧縮フォーマットのタイトルセクションはＥＸＩＦフォーマット）によって、撮影時点、カメラの絞り値、シャッター値、感光値などの撮影条件と関連する情報をタイトルセクションに書き込む。
【００２６】
旅行中にモバイルＧＰＳ情報レコーダー及びディジタルカメラを同時に携帯すると、同期の概念を使用して撮影したディジタル映像ファイルと経路ファイルの時点情報とを分析し比較することができ、すなわち、写真の撮影時点および撮影地理位置を同時に知ることができる。
【００２７】
同じように、ディジタル音声ファイルは、音声データの記録スタート時点および記録エンド時点を書き込んでおり、ディジタル音声ファイルと経路ファイルの時点情報を比較すると、ディジタル音声ファイルの記録時点および記録地理位置を同時に知ることができる。
【００２８】
図１を参照する。図１は装置を連接した状態の概略図である。旅行中に、ユーザーはディジタルカメラ８２とＧＰＳ情報レコーダー８４とを同時に携帯し映像および経路を記録する。ＧＰＳ情報レコーダー８４内には経路ファイルがセーブされており、この経路ファイルは、ユーザーが進行しているときに、時間の経過に伴って変動している地理位置の情報を記録する。なお、経路ファイルが地理位置の情報を記録しているときには、ユーザーがディジタルカメラ８２によって一つ以上の映像ファイルを生成し、これらのディジタル映像ファイルは全て撮影時点の情報が付いている。
【００２９】
本発明は、コンピューターシステムによって上記のことを実現するのであり、ユーザーが前もって経路ファイルおよびディジタル映像ファイルをコンピューターシステム７０のデータベースにセーブする。図１に示すように、ディジタルカメラ８２とＧＰＳ情報レコーダー８４とはそれぞれトランスポートケーブル８２０，８４０を介してコンピューターシステム７０と電気的に連接しており、ディジタル映像ファイル及び経路ファイルがコンピューターシステム７０に伝送されてセーブした。
【００３０】
図１はコンピューターシステム７０のレイアウトを示し、前記コンピューターシステム７０は、ホスト７０と、ディスプレイ７４と、キーボード７６と、を含み、図１によってユーザーの操作状態を説明することができる。コンピューターシステムのレイアウトを良く分かる人は、コンピューターシステム７０の内部に、更に、ＣＰＵと、メモリと、入力／出力ディバイスとなどを有し、ロードしているオペレーティングシステム及びアプリケーションプログラムによって制御プロセスが実行され、ハードウエアとソフトウエアとを同時に使用するとコンピューターの機能を実現することができる。
【００３１】
図１はデスクトップ型パソコンを例にして、有線トランスポート方式を利用し、ディジタルカメラ８２及びＧＰＳ情報レコーダー８４とコンピューターシステム７０の間の信号トランスポートを説明する。もちろん、コンピューターシステム７０は、ノートブック型パソコンでもいいし、その他の何れかの型のパソコンでもよく、なお、ディジタルカメラ８２及びＧＰＳ情報レコーダー８４は、有線またはコードレスのトランスポート方式を利用して信号をトランスポートする以外、メモリカードなどの記憶媒体によってファイル資料をコンピューターシステム７０にセーブすることもできる。
【００３２】
同じように、ユーザーは、旅行中に記録したディジタル音声ファイルをコンピューターシステム７０にセーブすることもできる。
【００３３】
次に、図２を参照する。図２は本発明に係るビュー／共有システムのシステムレイアウトの概略図である。図２に示すように、ビュー／共有システム１０は、エディタ１００と、第一アクセスモジュール１０２と、第二アクセスモジュール１０４と、第一資料分析モジュール１１２と、第二資料分析モジュール１１４と、資料比較モジュール１１６と、ビューインターフェース生成モジュール１１８と、共有ウェブ生成モジュール１２０と、を含む。
【００３４】
前記ビュー／共有システム１０は、記録ファイルをブラウジングして記録共有ウェブファイルを生成するためのものであり、上記の記録ファイルは、旅行中に記録したディジタル映像ファイル又はディジタル音声ファイルである。前記ビュー／共有システム１０は、コンピューターシステム７０のアプリケーションプログラムに搭載され、ハードウエアの計算リソースに合わせて期待の機能を達成することができる。コンピューター編集技術を良く分かる人は、下記の作業モジュールの作業特徴によって、プログラム言語によって適当なアプリケーションプログラムを編集して、コンピューターシステムに搭載して、期待の機能を達成することができ、だから、ここで、アプリケーションプログラムの編集についての説明を省略した。
【００３５】
エディタ１００は、コンピューターシステム７０の入力装置（例えばキーボード、マウスなど）の操作に応じて、ユーザーが入力する外部資料を接収することにより、必要な情報を取る。経路ファイルと記録ファイルとは、コンピューターシステム７０の内部のデータベースの第一セーブアドレスと第二セーブアドレスとにそれぞれセーブされる。ユーザーは、エディタ１００を介して第一セーブアドレスと第二セーブアドレスとを入力することができる。第一アクセスモジュール１０２と第二アクセスモジュール１０４とは、エディタ１００とデータベース（図示せず）とにそれぞれ結合されており、エディタ１００が接収した外部資料を指令としてデータベースに対してアクセスを実行する。第一アクセスモジュール１０２は、指令によって第一セーブアドレスから経路ファイルをアクセスし、なお、第二アクセスモジュール１０４は、指令によって第二セーブアドレスから記録ファイルをアクセスする。
【００３６】
第一資料分析モジュール１１２は、第一アクセスモジュール１０２に結合されており、ある経路に沿って進行しているときに時間の経過に伴って地理位置の変化情報を記録する経路ファイルを分析して、前記経路ファイルに記録された時間と地理位置の関係を求めるものである。第二資料分析モジュール１１４は、第二アクセスモジュール１０４に結合されており、記録ファイルを分析することにより、記録ファイルに記録した時間情報を求める。
【００３７】
資料比較モジュール１１６は、前記第一資料分析モジュール１１２と前記第二資料分析モジュール１１４とに結合されており、経路ファイル及び記録ファイルの時間情報によって、各記録ファイルが対応している地理位置を比較するものである。具体的には、本発明は、記録ファイルに記録した時点をインデックスとして、経路ファイルのこの記録ファイルに対応する地理位置を見出し、この位置はファイルの記録地点である。
【００３８】
ビューインターフェース生成モジュール１１８は、前記第一資料分析モジュール１１２と前記資料比較モジュール１１６とに結合されており、そしてコンピューターシステム７０のディスプレイ手段に結合されており、記録ファイルのビューインターフェースを生成する。
【００３９】
次に、本発明の好適な実施例を説明する。アプリケーションプログラムを実行するときに、ビューインターフェース生成モジュール１１８は、記録ブラウジングウェブファイルを生成して、このウェブファイルが特定なマップサービスサイト（例えばＧｏｏｇｌｅ  Ｍａｐ又はＧｏｏｇｌｅ  Ｅａｒｔｈ）とリンクするように制御することにより、マップ資料をダウンロードして記録ブラウジングウェブに嵌め込む。そしてビューインターフェース生成モジュール１１８は、第一資料分析モジュール１１２によって経路ファイルを分析した結果により、記録した時点と地理位置の関係によって移動経路をマップ資料にオーバーラップする。次に、資料比較モジュール１１６によって比較した結果により、各記録ファイルの対応する地理位置によって、前記マップ資料に記録ファイルの個別的なクリックアイコンをディスプレイして、前記クリックアイコンが個別的なセーブアドレスにハイパーリンクする。記録ブラウジングウェブは、Ｇｏｏｇｌｅ  Ｍａｐ又はＧｏｏｇｌｅ  Ｅａｒｔｈのアプリケーションプログラムインターフェース（ＡＰＩ）に通じてコミュニケーションをし、特定な関数を利用してマップ映像に、経路軌跡および記録ファイルのクリックアイコンなどを増加し、クリックアイコンをクリックすると特定なファイルがオープンされる。
【００４０】
また、ビュー／共有システム１０は、コンピューターシステム７０の入力装置（例えばキーボード、マウスなど）の操作に応じて、ユーザーがクリックアイコンをクリックするとデータベースにおける特定な記録ファイルがオープンされる。
【００４１】
次に、図３Ａ、図３Ｂ及び図４を参照する。図３は本発明に係るビューインターフェースの実施例の概略図である。図３Ａに示すように、アプリケーションプログラムを実行しているときには、ディスプレイ７４にユーザーインターフェース３０が生成され外部のユーザーとインタラクトすることができ、編集制御指令を入力して実行した結果を出力することができる。ユーザーインターフェース３０の画面の排列および関連位置がアプリケーションプログラムによって事前に設定され、本実施例では、ユーザーインターフェース３０は、編集インターフェース３２と、ビューインターフェース３４と、を含む。ビューインターフェース３４は、記録ブラウジングウェブに嵌め込み、経路３４０と関連するマップ映像資料をディスプレイする。
【００４２】
編集インターフェース３２は、編集ブロック３２１，３２２を含む。編集ブロック３２１が経路ファイルのアクセスと関係あり、ユーザーは、ファンクションキー３２１０によってファイル管理モジュールをオープンして、セーブ経路を入力することができ、このセーブ経路は所謂第一セーブアドレスである。このとき、第一アクセスモジュール１０２は第一セーブアドレスから経路ファイルをアクセスし、その後、第一資料分析モジュール１１２が経路ファイルの地理位置と時点の関係を分析して、ビューインターフェース生成モジュールは記録ブラウジングウェブ１１８を制御して移動経路３４０の軌跡をディスプレイする。
【００４３】
編集ブロック３２２が記録ファイルのアクセスと関係あり、ユーザーは、ファンクションキー３２２０によってファイル管理モジュールをオープンして、別のセーブ経路を入力することができ、このセーブ経路は所謂第二セーブアドレスである。このとき、第二アクセスモジュール１０４は第二セーブアドレスから記録ファイルをアクセスし、その後、第二資料分析モジュール１１４が記録ファイルの時点情報を分析して、資料比較モジュール１１６が第一資料分析モジュール１１２と第二資料分析モジュール１１４との分析結果を接収して、各記録ファイルの対応する地理位置を比較してファイルの記録地点を見出し、その後、ビューインターフェース生成モジュール１１８は、各記録ファイルの対応する地理位置によって、ビューインターフェース３４に経路３４０を沿って分布するクリックアイコン３４２をディスプレイし、各クリックアイコン３４２がクリックされたと当該クリックアイコン３４２とリンクしている記録ファイルをオープンすることができる。このように、ユーザーは、図４に示すように、撮影地点によって特定な記録ファイルをオープンすることができる。同じ地理位置が複数の記録ファイルに対応する場合には、この位置のクリックアイコンをクリックしたと、図３Ｂに示すように、各映像の個別的なクリックアイコンが分散する。
【００４４】
本実施例では、ユーザーインターフェース３０が各記録ファイルのファイル名称、撮影時点および経緯度情報を示すファイル資料テーブル３２２２をディスプレイし、ユーザーはファイル資料テーブル３２２２によって更に編集可能である。ユーザーインターフェース３０は、更に、複数のファンクションキー３６０を有するファンクションメニュー３６を含み、これらのファンクションキー３６０は特定な機能を実行することができ、ビューインターフェース及びビュー結果に対して特殊な機能制御をすることができる。なお、ファンクションキー３２３は、Ｇｏｏｇｌｅ  Ｅａｒｔｈソフトウエアとリンクしているので、Ｇｏｏｇｌｅ  Ｅａｒｔｈソフトウエアを起動することができ、そしてＧｏｏｇｌｅ  Ｅａｒｔｈの衛星マップに移動経路および記録ファイルのクリックアイコンをオーバーラップしてディスプレイすることができる。
【００４５】
本発明の別の実施例によれば、ユーザーインターフェース３０は、更に、プレイヤーとして使用可能であり、移動経路３４０に沿って記録ファイルを自動的に順次にオープンすることができ、これにより、記録ファイルは更に活性化され生き生きとディスプレイされる。
【００４６】
本発明は、旅行の移動経路の軌跡と記録ファイルとを同時にディスプレイするので、映像の分類及びビューの物語り性が更に向上する。また、本発明は、従来技術のネットアルバムによって映像資料をディスプレイすることと比べると、本発明に係るビュー／共有システム１０は、パーソナルコンピューターによって記録ファイルをビューすることができ、個人的な資料の安全性が更に向上する。
【００４７】
次に、図５を参照する。図５は記録ブラウジングウェブを生成するフローチャートであり、図５によってビュー／共有システム１０の実行ステップを分かることができる。そしてビュー／共有システム１０の実行ステップは下記のステップがある。
【００４８】
まず、第一セーブアドレスと第二セーブアドレスを取る（ステップＳ１００）。
【００４９】
次に、第一セーブアドレスから経路ファイルをロードし、第二セーブアドレスから記録ファイルをロードし、前記経路ファイルは、ユーザーが移動しているときに、時間の経過に伴って変動している地理位置情報を記録するものであり、なお、前記記録ファイルは、前記経路ファイルが地理位置情報を記録しているときに生成されるものであり、個別的な時点情報が記録されている（ステップＳ１０２）。
【００５０】
その後、記録ファイルと経路ファイルの時点情報を比較することにより、各記録ファイルの対応する地理位置を求める（ステップＳ１０４）。
【００５１】
最後に、各記録ファイルの対応する地理位置によって、移動経路がディスプレイされているビューインターフェースに、記録ファイルをディスプレイ可能なクリックアイコンをディスプレイする（ステップＳ１０６）。このように、クリックアイコンをクリックしたと、特定な記録ファイルがオープンされ記録ファイルをビューすることができる。
【００５２】
また、個人的な記録ファイルに他の情報を付けて、他人と共有してもよい。ネットワークのバンド幅が制限されているので、記録ファイルを電子メールで他人と共有することは理想的な方法ではないので、共有しようとする記録ファイルをネットワークセーブスペースにアップロードして、記録ファイルを共有したい者が記録ファイルを個人的なコンピューターシステムにダウンロードして共有することができる。
【００５３】
本発明の特徴は、ビュー／共有システム１０によって記録ブラウジングウェブファイルを生成し、この記録ブラウジングウェブファイルは、記録ファイルのアップロードされたネットワークセーブアドレスが記載されているものであり、記録ファイルが付けられていないので、共有者に伝送する情報量を低減することができる。次に、図２及び図６を参照する。図２において、ビュー／共有システム１０は、ビューインターフェース生成モジュール１１８に結合されている共有ウェブ生成モジュール１２０を含む。ユーザーは記録ファイルをリモートデータベースにアップロードした後、各記録ファイルの個別的なセーブアドレスを取ることができる。ビューインターフェース生成モジュール１１８は、各記録ファイルの個別的なセーブアドレスを取った後に、記録ブラウジングウェブファイルをコピーし、コピーされたファイルの内容は、各記録ファイルのクリックアイコンのハイパーリンクアドレスがリモートセーブアドレスでローカルデータベースのセーブアドレスを取替え、これにより、記録ブラウジングウェブファイルが生成される。
【００５４】
次に、図６を参照する。図６は本発明の記録ブラウジングウェブ及び記録共有ウェブの実施例のファイル内容を示す概略図である。図６に示すように、記録ブラウジングウェブのファイル内容３９０において、記録ファイルのクリックアイコンのハイパーリングがローカルデータベースと結合している。ビューインターフェース生成モジュール１１８は、ファイル内容３９０を改修してファイル内容３９５になり、これにより、記録ファイルのクリックアイコンのハイパーリングがリモートセーブアドレスと結合しているように替わられ、且つファイル内容３９５が別の記録共有ウェブファイルにセーブされる。具体的には、ビューインターフェース生成モジュール１１８は、ファイル内容３９０を分析することにより、特定なキーワードを見出し（例えば本実施例では”ｓｒｃ”）、その後、ハイパーリングアドレスが記載されているクリックアイコンをクリックすると、ビューインターフェース生成モジュール１１８は、記録ファイルのリモートセーブアドレスで本来の内容をオーバーレイする。
【００５５】
記録共有ウェブファイルは、マップサービスサイトとリンクしているクリックアイコンと、マップ資料をダウンロード可能なクリックアイコンと、移動経路の軌跡をディスプレイするクリックアイコンと、記録ファイルを示し可能なクリックアイコンと、を含む。だから、記録共有ウェブファイルをオープンすると、図３Ｂに示すようなウェブをディスプレイすることができ、なお、特定なクリックアイコンをクリックしたと、リモートデータベースとリンクして特定な記録ファイルをダウンロードすることができる。
【００５６】
また、図７及び図８を参照する。図７は本発明に係るビュー／共有システムによって共有ファンクションを実行する実施例の概略図であり、図８はネットワークシステムの概略図である。図７に示すように、ユーザーインターフェース３０は、ビューインターフェース３８の機能を達成できるようにユーザーを補助する効果がある。ユーザーインターフェース３０の共有ステップは二つある。一つは、記録ファイルをセーブスペースを提供するサイトにアップロードし、且つ前記サイトにリンクする機能を実行するファンクションキー３８０を提供し、このとき、ビュー／共有システム１０が記録共有ウェブファイルを生成する。もう一つは、電子メールに記録共有ウェブファイルを付けて共有者にメールし、且つ前記電子メールに電子メール接収／発送ソフトウエアとリンクしオープン可能なファンクションキー３８２が付けられている。
【００５７】
ここで、システムレイアウトによって上記共有機能を更に詳細に説明する。図８に示すように、パーソナルコンピューターサイド２０は、記録ファイルおよび経路ファイルなどのリソースを提供するものであり、ビュー／共有システム１０と、ローカルデータベース２０２と、ネットワーク作業モジュール２０４と、を有する。ビュー／共有システム１０は、ネットワーク作業モジュール２０４を介してローカルデータベース２０２に対して資料をアクセスすることができ、共有しようとする記録ファイルをインターネット９０を経由してリモートサーバー４０にアップロードし、資料アクセスインターフェース４０２を介して映像データベース４０４にセーブすることができる。
【００５８】
パーソナルコンピューターサイド２０は、インターネット９０を経由して記録共有ウェブファイルを共有サイド５０１〜５０Ｎに伝送することができる。前記共有サイド５０１〜５０Ｎは、それぞれコンピューターシステムであり、記録共有ウェブファイルを直接にオープンしウェブを展開して記録ファイルをビューすることができ、特定な記録ファイルのクリックアイコンをクリックしたと、リモートデータベース４０４がリンクされ、この特定な記録ファイルをダウンロードしてオープンすることができる。共有者は、この記録共有ウェブをオープンするだけで、他人の記録をブラウジングすることができ、従来のネットアルバムサイトに比べて、使用の便利性が更に向上する。
【００５９】
次に、図９を参照する。図９は本発明に係る記録共有ウェブファイルの生成方法のフローチャートであり、そのシステムのレイアウトは図２を参照する。本発明に係る記録共有ウェブファイルの生成方法は、図９に示すように、下記のステップがある。
【００６０】
まず、ビューインターフェース生成モジュール１１８によって記録ブラウジングウェブを生成し特定なサイトとリンクして、マップ資料をダウンロードして前記記録ブラウジングウェブに嵌め込む（ステップＳ２００）。
【００６１】
次に、第一資料分析モジュール１１２に経路ファイルをロードして分析することにより、時間の経過に伴って変動している地理位置情報を取る（ステップＳ２０２）。
【００６２】
その後、経路ファイルの地理位置によって移動経路をマップ資料にオーバーラップするように、ビューインターフェース生成モジュール１１８によって記録ブラウジングウェブを制御する（ステップＳ２０４）。
【００６３】
次に、エディタ１００によって少なくとも一つの記録ファイルのセーブアドレスを取り、前記少なくとも一つの記録ファイルはそれぞれ記録時点情報を有する（ステップＳ２０６）。
【００６４】
次に、第二資料分析モジュール１１４によって各記録ファイルの記録時点情報を分析し、なお、資料比較モジュール１１６によって記録ファイルと経路ファイルとの時点情報を比較することにより、各記録ファイルの対応する地理位置を取る（ステップＳ２０８）。
【００６５】
次に、各記録ファイルの対応する地理位置によってクリックアイコンをディスプレイし、且つ個別的なセーブアドレスにハイパーリンクするように、ビューインターフェース生成モジュール１１８によって記録ブラウジングウェブを計画する（ステップＳ２１０）。
【００６６】
次に、少なくとも一つの記録ファイルをリモートデータベースに出力してセーブすることにより、各記録ファイルがそれぞれ個別的なリモートセーブアドレスを有する（ステップＳ２１２）。
【００６７】
最後に、共有ウェブ生成モジュール１２０によって、各記録ファイルの個別的なハイパーリンクのアドレスを個別的なリモートセーブアドレスにして、記録共有ウェブファイルを生成する（ステップＳ２１４）。
【００６８】
ステップＳ２１４において、共有ウェブ生成モジュール１２０は、記録ブラウジングウェブをコピーして、コピーされた記録ブラウジングウェブの内容を分析して、各記録ファイルのクリックアイコンのハイパーリンクアドレスを見出すことにより、各記録ファイルの個別なモートセーブアドレスで個別なクリックアイコンのハイパーリンクアドレスをオーバーレイして、記録共有ウェブファイルを生成する。
【００６９】
このように、本発明が、特定の例を参照して説明されたが、それらの例は、説明のためだけのものであり、本発明を限定するものではなく、この分野に通常の知識を有する者には、本発明の精神および範囲を逸脱することなく、ここで開示された実施例に変更、追加、または、削除を施してもよい。
【図面の簡単な説明】
【００７０】
【図１】装置を連接した状態の概略図である。
【図２】本発明に係るビュー／共有システムのシステムレイアウトの概略図である。
【図３Ａ】本発明に係るビューインターフェースの実施例の概略図である。
【図３Ｂ】本発明に係るビューインターフェースの別の実施例の概略図である。
【図４】本発明に係るビューインターフェースの更に別の実施例の概略図である。
【図５】記録ブラウジングウェブを生成するフローチャートである。
【図６】本発明の記録ブラウジングウェブ及び記録共有ウェブの実施例のファイル内容を示す概略図である。
【図７】本発明に係るビュー／共有システムによって共有ファンクションを実行する実施例の概略図である。
【図８】ネットワークシステムの概略図である。
【図９】本発明に係る記録共有ウェブファイルの生成方法のフローチャートである。
【符号の説明】
【００７１】
１０      ビュー／共有システム
２０      パーソナルコンピューターサイド
３０      ユーザーインターフェース
３２      編集インターフェース
３４，３８    ビューインターフェース
３６      ファンクションメニュー
４０      リモートサーバー
７０      コンピューターシステム
７２      ホスト
７４      ディスプレイ
７６      キーボード
８２      ディジタルカメラ
８４      ＧＰＳ資料レコーダー
９０      インターネット
１００    エディタ
１０２    第一アクセスモジュール
１０４    第二アクセスモジュール
１１２    第一資料分析モジュール
１１４    第二資料分析モジュール
１１６    資料比較モジュール
１１８    ビューインターフェース生成モジュール
１２０    共有ウェブ生成モジュール
２０２    ローカルデータベース
２０４    ネットワーク作業モジュール
３２１，３２２    編集ブロック
３４０    経路
３４２    クリックアイコン
３４４    映像
３９０，３９５    ファイル内容
４０２    資料アクセスインターフェース
４０４    映像データベース
５０１〜５０Ｎ    共有サード
８２０，８４０    トランスポートケーブル
３２２２  ファイル資料テーブル
３２１０，３２２０，３２３，３６０，３８０，３８２    ファンクションキー
Ｓ１００〜Ｓ２１４    各ステップ
【図１】
2009146375.tif 000003
【図２】
2009146375.tif 000004
【図３Ａ】
2009146375.tif 000005
【図３Ｂ】
2009146375.tif 000006
【図４】
2009146375.tif 000007
【図５】
2009146375.tif 000008
【図６】
2009146375.tif 000009
【図７】
2009146375.tif 000010
【図８】
2009146375.tif 000011
【図９】
2009146375.tif 000012